(57)【要約】      （修正有）【課題】使用者が力を施すという負担を大幅に軽減することができるブラケット・ローラー装置を有する引き出しロッドの付いたかばんを提供する。【解決手段】かばんはブラケット・ローラー装置を含む。ブラケット・ローラー装置はボックスに枢設、接続する支持フレーム、レバー、回転自在に支持フレームの末端に位置決めをして、地面に接触する支持ホイールなどから組成される。レバーの一端がドラグ・ユニットに枢設、接続され、もう一端が支持フレームの中段に枢設、接続される。支持ホイールとボックスのホイールはそれぞれ地面に接触するので、安定の支持結構が形成される。ドラグ・ユニットを下へ押し戻すと、レバーは支持フレームをボックスへ向かうように引いて戻される。【選択図】図１
0003125685.tif 000002
【実用新案登録請求の範囲】
【請求項１】
荷物を放置するボックスと、ボックスに接続し、直立方向に沿って上下移動、伸縮できるドラグ・ユニットと、回転自在にボックスの底部に配置されて、地面に接触する複数ホイールとから形成され、使用状態に、使用者はドラグ・ユニットを握って、ボックスを引き動かすことができ、ドラグ・ユニットとボックスとホイールとを結ぶ仮想ラインと地面との間に、ある角度が形成されるブラケット・ローラー装置を有する引き出しロッド付かばんにおいて、ブラケット・ローラー装置を備え、該ブラケット・ローラー装置はボックスに枢設、接続する支持フレームと、レバーと、回転自在に支持フレームの末端に位置決めをして、地面に接触する支持ホイールとから構成され、前記レバーの一端はドラグ・ユニットに枢設、接続され、もう一端は支持フレームの中段に枢設、接続され、それにより、ドラグ・ユニットを上に引き出すと、レバーは支持フレームを支えると共に、支持フレームとボックスの間にもある角度を形成し、支持ホイールとボックスのホイールはそれぞれ地面に接触することにより、安定の支持結構が形成される一方、ドラグ・ユニットを下へ押し戻すことにより、レバーは支持フレームをボックスへ向かうように引いて戻されることを特徴とするブラケット・ローラー装置を有する引き出しロッド付かばん。
【請求項２】
複数のブラケット・ホイール装置が並列して設けられることを特徴とする請求項１記載のブラケット・ローラー装置を有する引き出しロッド付かばん。
【考案の詳細な説明】
【技術分野】
【０００１】
本考案は旅行などに使用するかばんに関するものであり、特に、ブラケット・ローラー装置を有する引き出しロッドの付いたかばんに関するものである。
【背景技術】
【０００２】
従来の引き出しロッドの付いたかばんは、主に、荷物を収容するボックスの下方に、複数のホイールが設置され、ボックスの片側に、伸縮できるドラグ・ロッドが設けられている。使用者はかばんを移動させるとき、一般的に、ドラグ・ロッドに引き出し力を施し、ボックスを前へ傾斜させて移動する。ホイールは地面に転んでいるので、それを前進できるように引く。側面から観察みると、引くときに、ドラグ・ロッドとボックスとホイールとを結ぶ仮想接続ラインは地面との間にある傾斜角度が形成される。
【考案の開示】
【考案が解決しようとする課題】
【０００３】
既知のこのような方式を利用する場合、使用者が完全に持ち上げることができないような荷物又は重い物を引っ張る時に、ドラグ・ロッドとボックスとホイールとを結ぶ仮想接続ラインは地面との間に傾斜角度があり、移動中、使用者は依然として一定の重さを負担しなければならない。特に、ボックスの中の荷物が重ければ重いほど、手のひらや腕への負担も大きく、使用時間が長いと耐え難いほどの痛さを招くものであった。
【０００４】
したがって、本考案の主な目的は、使用者が力を施すという負担を大幅に軽減することができるブラケット・ローラー装置を有する引き出しロッドの付いたかばんを提供することにある。
【課題を解決するための手段】
【０００５】
前掲の目的を達成するために、本考案によるブラケット・ローラー装置を有する引き出しロッド付かばんは、主に、荷物を収納するボックスと、ボックスに接続され、直立方向に沿って上下移動、伸縮できるドラグ・ユニットと、回転自在にボックスの底部に位置決めをして地面に接触する複数ホイールなどの要素から形成される。さらに、本考案のかばんはブラケット・ローラー装置を含む。ブラケット・ローラー装置は、ボックスに枢設、接続される支持フレームと、レバーと、回転自在に支持フレームの末端に位置決めされて地面に接触する支持ホイールなどから組成される。レバーの一端がドラグ・ユニットに枢設、接続され、もう一端が支持フレームの中段に枢設、接続される。これにより、本考案のかばんは、ドラグ・ユニットを上に引き出すと、レバーが支持フレームを支えると共に、支持フレームとボックスの間にもある角度を形成する。支持ホイールとボックスのホイールはそれぞれ地面に接触するので、安定の支持結構が形成される。一方、ドラグ・ユニットを下へ押し戻すと、レバーは支持フレームをボックスへ向かうように引いて戻され、邪魔になることはない。
【考案の効果】
【０００６】
ドラグ・ユニットを上に引き出すと、支持ホイールとボックスのホイールはそれぞれ地面に接触しているため、使用者は荷物又は重い物の重量を支えることなく、単に引っ張って移動させるため、手のひらや腕への負担もなく、途中で手を放すこともでき、使用時間が長くなってもなんらの問題も生じることはない。また、ドラグ・ユニットを下へ押し戻すことにより、ブラケット・ローラー装置をボックスに収納させることができるため、無用な出っ張り等が突出することもなく、通常のかばんと同様に取り扱うことができる。
【考案を実施するための最良の形態】
【０００７】
本考案の目的、特徴を遂げて、採用される技術手段及び効果などを理解するために、さらに具体的な実施例について、以下、図面と共に説明する。
【０００８】
図１、図３を参照すると、本考案の理想的な実施例が示されており、それは、主に、ボックス１、ドラグ・ユニット２、複数のホイール３及びブラケットホイール装置４などの要素から形成される。
【０００９】
ボックス１の内部には荷物を収納するための収容空間があり、その一面側に上下直立方向に延びる収容溝１１が形成される。
【００１０】
ドラグ・ユニット２は、転がして動かすことができように、ボックス１の収容溝１１に配置されており、ボックス１に対して、上下直立方向に伸縮できる形態で構成される。
【００１１】
ホイール３はボックス１の底部両側に回転自在に設置され、その作用は地面に接触してボックス１を支持すると同時に、利便に移動できる。
【００１２】
本考案と既知のものとの異なるポイントは、ブラケットホイール装置４が追加されている点にある。ブラケットホイール装置４は、支持フレーム４１、レバー４２、支持ホイール４３を含む。図示の実施例では、確実な支持効果を遂げるために、並列に設けられた二つのブラケットホイール装置４を採用しているが、二つ以上の並列を使用してもよく、実際的に、この数についての制限はない。
【００１３】
支持フレーム４１の一端をボックス１に枢設、接続し、第一枢設・接続ポイント５１を形成する。第一枢設・接続ポイント５１はボックス１に固定する。支持ホイール４３は回転自在に、支持フレーム４１の別の末端に、位置決めをするので、地面に接触できる。
【００１４】
レバー４２の一端をドラグ・ユニット２の末端に枢設、接続し、もう一端を支持フレーム４１の中段に枢設、接続する。ボックス１の片側表面に切り溝１２を設けて、収容溝１１と連れって貫通するので、レバー４２が切り溝１２を通過して移動し、位置を変更することができる。レバー４２とドラグ・ユニット２と間を枢設、接続する箇所は第二枢設・接続ポイント５２を構成する。第二枢設・接続ポイント５２はドラグ・ユニット２の運動に応じて、ボックス１に対して位置を変更する。
【００１５】
使用する場合、使用者はかばんを引き動かしたいときに、ドラグ・ユニット２を上へ引き伸ばすと、第二枢設・接続ポイント５２が第一枢設・接続ポイント５１に近接し、レバー４２の剛性によってレバー４２が支持フレーム４１を支え、それにより、支持フレーム４１とボックス１はある角度を形成する。支持ホイール４３とボックス１のホイール３はそれぞれ地面に接触し、安定の支持構造を形成し、ボックス１の重量をすべて支持する。これにより、使用者は容易にかばんを移動することができる。
【００１６】
使用しないとき、ドラグ・ユニット２を下へ戻す。そのとき、第二枢設・接続ポイント５２は第一枢設・接続ポイント５１から遠く離れるので、レバー４２は支持フレーム４１をボックス１へ向かうように引いて戻す。
【００１７】
以上の内容をまとめると、本考案により、ブラケット・ローラー装置を持つ引き出しロッドの付いたかばんは確かに、前掲の構造で、予期の効果を達成する。請求の前に、いずれの文献に見えないし、公開的にも、使用されないし、特許新案の新規性、進歩性、産業利用性など要旨に合うので、法律により、請求を提出いたします。しかしながら、以上は本考案の実施例だけである。本考案の精神により、いずれの簡易修飾、変化をしても、皆、請求の範囲に含まれる。
【図面の簡単な説明】
【００１８】
【図１】本考案の実施例によるブラケット・ローラー装置を有する引き出しロッド付かばんの外観説明図である。
【図２】図１に示す実施例における使用の時の側面を示す説明図である。
【図３】図１に示す実施例における収納したときの側面を示す説明図である。
【符号の説明】
【００１９】
１    ボックス                            ２    ドラグ・ユニット
３    ホイール                            ４    ブラケットホイール装置
１１    収容溝                            １２    切り溝
４１    支持フレーム                      ４２    レバー
４３    支持ホイール                      ５１    第一枢設・接続ポイント
５２    第二枢設・接続ポイント
【図１】
0003125685.tif 000003
【図２】
0003125685.tif 000004
【図３】
0003125685.tif 000005